(57)【要約】　　　（修正有）【課題】超望遠レンズとカメラを接合し、それぞれ別個に固定した基盤を三脚の雲台に装備すると共に、該基盤と三脚とを一体的に連結して三脚の開脚姿勢を安定状態に保持することにより、撮影時にブレの全くない綺麗な画像を得ることができる望遠撮影におけるカメラブレ防止装置を提供する。【解決手段】基盤１の後部側に前後揺動かつ傾斜角度調節固定自在な支持腕７にカメラ８の固定支持台９と、長手方向揺動かつ位置調整固定自在な望遠レンズ３の載置固定台と、その前方に前後方向揺動かつ傾斜角度調節固定自在な支持腕１２に筒状部３ｂの支承受座１３をそれぞれ設けると共に、基盤１と三脚２とを一体的に連結固定した。【選択図】　図１
2004053672.tif 000002
【特許請求の範囲】
【請求項１】
三脚の雲台に装着される横長矩形状基盤の後部側に、長手方向摺動かつ位置調節固定自在に設けた望遠レンズの載置固定台と、
基盤の後部側左右側壁に、下端部を前後方向揺動かつ傾斜角度調節固定自在に枢着された支持腕の上端部対向間に、回動かつ傾斜角度調節固定自在に設けたカメラの固定支持台と、
基盤の中央部位に貫設した雲台への装着孔の稍前方部位の左右側壁に、下端部を前後方向摺動かつ傾斜角度調節固定自在に枢着した支持腕の上端部対向間に、回動かつ傾斜角度調節固定自在に枢着した望遠レンズ筒状部のＶ字状支承受座と、
によって構成されていることを特徴とする望遠系撮影におけるカメラブレ防止装置。
【請求項２】
基盤の前壁左右端部に、それぞれ左右方向回動かつ緊緩調節自在に設けた吊持体に、三脚の対向前脚への連結支持杆の上端部が前後方向揺動自在に枢着され、下端部には支承体が前後方向揺動自在に枢着されていると共に、上記支承体の背面に左右方向回動自在に軸支した取付ボスの外側面に、割り筒体からなる緊締具の一方の分割筒片を固定し、他方の分割筒片を緊緩調節自在となるようにコイル弾機を介装して軸支し、該緊締具をそれぞれ連結支持杆を介して三脚の対向前脚に連結することによって開脚安定保持機構が構成されていることを特徴とする請求項１記載の望遠系撮影におけるカメラブレ防止装置。
【発明の詳細な説明】
【０００１】
【発明の属する技術分野】
本発明は、望遠系撮影におけるカメラブレ防止装置に係り、詳しくは、取付座を備えた超望遠レンズにカメラを接合した状態で、超望遠レンズとカメラをそれぞれ別々に固定した基盤を三脚の雲台に装着すると共に、該基盤と三脚とを連結支持杆を介して一体的に連結して、三脚の開脚姿勢を安定した状態に保持することにより、撮影時には雲台の動きに追従してカメラの取付姿勢を超望遠レンズと一体となって上向き、下向き等、自由に選択できるものでありながら、雲台の可動範囲でブレ止めを図ることができ、ブレの全くない状態で被写体を的確に撮影することができる望遠系撮影におけるカメラブレ防止装置に関するものである。
【０００２】
【従来の技術】
カメラに望遠レンズを接合して望遠撮影を楽しむ写真愛好家は、当然のことながら三脚を使用して撮影しているが、カメラブレのない綺麗な画像を得ることができないのが実状である。そこで、写真愛好家は、三脚を二基使用して一方の三脚でカメラを固定し、他方の三脚に望遠レンズの載置台を設け、カメラと望遠レンズを接合して撮影したり、あるいは三脚とスタンドを使用し、三脚に望遠レンズの載置台を設け、スタンドにカメラを固定し、カメラと望遠レンズを接合して撮影したりしているのが実状である。しかし、この様な撮影方法では、撮影時におけるカメラブレの防止ができても、高さや角度などフレーミングの微調整に手間がかかり、望遠撮影の醍醐味を充分に満足することができない欠点があった。
【０００３】
【発明が解決しようとする課題】
本出願人は上記のような実状に鑑み、従来の撮影方法の欠点を解消すべく、先般「望遠系撮影におけるカメラブレ防止装置」を特許出願した（特願２００２−１５５１７９）。この発明はカメラと望遠レンズとを接合した状態で、三脚の雲台に装備される基盤にカメラを固定し、かつ望遠レンズの筒状部を抱持状に固定する受座を設けると共に、該基盤と三脚とを一体的に連結して三脚の開脚姿勢を安定状態に保持するようにしたものである。
【０００４】
ところが、近時、焦点距離４００ｍｍをカバーする超望遠ズームが出現するに及び、超望遠撮影を楽しむ写真愛好家が増加するに至った。この様な情況に鑑み、本発明の意図するところは、超望遠レンズを使用しても、ブレの全くない状態で被写体を的確に撮影することができ、綺麗な画像を得ることができる望遠系撮影におけるカメラブレ防止装置を提供することを課題とするものである。
【０００５】
【課題を解決するための手段】
上記課題を解決するため、本発明が採用した第１の技術的手段は、
三脚の雲台に装着される横長矩形状基盤の後部側に、長手方向摺動かつ位置調節固定自在に設けた望遠レンズの載置固定台と、
基盤の後部側左右側壁に、下端部を前後方向揺動かつ傾斜角度調節固定自在に枢着された支持腕の上端部対向間に、回動かつ傾斜角度調節固定自在に設けたカメラの固定支持台と、
基盤の中央部位に貫設した雲台への装着孔の稍前方部位の左右側壁に、下端部を前後方向摺動かつ傾斜角度調節固定自在に枢着した支持腕の上端部対向間に、回動かつ傾斜角度調節固定自在に枢着した望遠レンズ筒状部のＶ字状支承受座と、
によって構成されていることを特徴とするものである。
【０００６】
本発明が採用した第２の技術的手段は、基盤の前壁左右端部に、それぞれ左右方向回動かつ緊緩調節自在に設けた吊持体に、三脚の対向前脚への連結支持杆の上端部が前後方向揺動自在に枢着され、下端部には支承体が前後方向揺動自在に枢着されていると共に、上記支承体の背面に左右方向回動自在に軸支した取付ボスの外側面に、割り筒体からなる緊締具の一方の分割筒片を固定し、他方の分割筒片を緊緩調節自在となるようにコイル弾機を介装して軸支し、該緊締具をそれぞれ連結支持杆を介して三脚の対向前脚に連結することによって開脚安定保持機構が構成されていることを特徴とするものである。
【０００７】
【発明の実施の形態】
本発明の実施の形態を添付図面に基づいて詳細に説明する。１は三脚２の雲台２ａに装着される基盤であって、該基盤１は平面視横長矩形状に形成されており、その後部側には長手方向摺動かつ位置調節固定自在に望遠レンズ３に設けた取付座３ａの載置固定台４が設けられている。
【０００８】
すなわち、上記取付座３ａの載置固定台４の中心部には連結孔４ａが穿設されており、基盤１の後端部中心部位から長手方向に穿設した長溝１ａを介して連結孔４ａには上端側と下端側にそれぞれ螺子を刻設した連結杆５が挿通され、下端側に螺合した撮具６の螺進操作により望遠レンズ３の取付座３ａが載置固定台４に固定されるようになっている。
【０００９】
基盤１の後部側左右側壁には、支持腕７の下端部が撮具７ａを介して前後方向揺動かつ傾斜角度調節固定自在に枢着されていると共に、その上端部の対向間には、撮具７ｂを介してカメラ８の固定支持台９が回動かつ傾斜角度調節固定自在に枢着されており、その中央部位に貫設された連結孔９ａには上端側と下端側にそれぞれ螺子を刻設した連結杆１０が挿通され、下端側に螺合した撮具１１の螺進操作により、カメラ８が固定されるようになっている。左右の支持腕７、７の上端寄り部位には杆状のストッパー７ｃが跨設されており、基盤１の後壁にはストッパー受１ｂが穿設されている。
【００１０】
基盤１の中央部位に貫設した雲台２ａへの装着孔１ｃの稍前方部位の左右側壁には、支持腕１２の下端部が撮具１２ａを介して前後方向揺動かつ傾斜角度調節自在に枢着されており、該支持腕１２の上端部の対向間には、撮具１２ｂを介して望遠レンズ３の筒状部３ｂを支承するＶ字状支承受座１３が回動かつ傾斜角度調節固定自在に枢着されている。
【００１１】
基盤１の前壁左右端部には、逆凹型に形成した吊持体１４が撮具１５を介してそれぞれ左右方向回動かつ緊緩調節自在に設けられており、該吊持体１４の切欠部１４ａには三脚２の対向前脚２ｂへの連結支持杆１６の上端部が支持軸１６ａを介して前後方向揺動自在に枢着され、下端部には凹型に形成された支承体１７が切欠部１７ａに軸支した支持軸１７ｂを介して前後方向揺動自在に枢着されている。
【００１２】
上記支承体１７の背面には、割り筒体からなる緊締具１８の取付ボス１９が左右方向回動自在に軸支されており、該取付ボス１９の外側面には、固定分割筒片１８ａと可動分割筒片１８ｂからなる緊締具１８の固定分割筒片１８ａが固定され、可動分割筒片１８ｂはコイル弾機を捲装した支持軸（図示省略）に軸支され、該支持軸に突設した撮具２０の回動操作により緊緩調節自在になっている。そして、上記緊締具１８を連結支持杆１６を介して三脚２の対向前脚２ｂ、２ｂに連結することにより、三脚２の開脚安定保持機構が構成され、該機構により望遠レンズ３およびカメラ８を固定した基盤１と三脚２とが一体的に連結固定された状態となっている。
【００１３】
本発明は叙上のように構成したので、いま、カメラ８に望遠レンズ３を接合して撮影するにあたっては、先ず三脚２の雲台２ａに装着孔１ｃを介して基盤１を装着する。次いで、長溝１ａを介して載置固定台４の連結孔４ａに挿通した連結杆５に螺合されている撮具６を弛緩状態にし、載置固定台４を長溝１ａに沿って基盤１の長手方向に摺動操作し、望遠レンズ３のセッティング位置が最適な状態となるように微調整した後、取付座３ｂに撮具６を緊締し、連結杆５を介して望遠レンズ３の取付座３ａを載置固定台４に固定する。更に支持腕１２を前後方向に揺動させて傾斜角度を調節すると共に、Ｖ字状支承受座１３を回動して傾斜角度を調節固定し、望遠レンズ３の筒状部３ｂを最適な状態で支承する。
【００１４】
望遠レンズ３のセッティング後は、支持腕７を後方へ揺動させて傾斜角度を調節すると共に、カメラ８の固定支持台９を回動して傾斜角度を調節し、最適な状態でカメラ８を望遠レンズ３に接合した後、連結杆１０の下端側に螺合した撮具１１を螺進操作してカメラ８を固定支持台９に固定する。
【００１５】
更に基盤１の前壁に設けた撮具１５、１５を弛緩し、吊持体１４、１４を介して連結支持杆１６、１６を左右方向回動かつ前後方向揺動自在な状態にし、次いで緊締具１８の撮具２０を回動操作して可動分割筒片１８ｂを固定分割筒片１８ａから離間させて、緊締具１８を三脚２の対向前脚２ｂ、２ｂに連結した後、撮具１５、１５を緊締すると共に、可動分割筒片１８ｂを緊締する。
【００１６】
そこで、三脚２の雲台２ａを操作してカメラ８及び望遠レンズ３の取付姿勢を、図２に示す水平状態から図３に示すように上向きにセットすると、これに連動して連結支持杆１６、１６が三脚２の前脚２ｂ、２ｂに沿って上昇移動する緊締具１８を介して上動するので、所望の位置で撮具２０を回動操作して可動分割筒片１８ｂを緊締すればよい。
【００１７】
また、図４に示すように、カメラ８および望遠レンズ３を下向きにセットしたい時は、緊締具１８を弛緩した後、雲台２ａを下向きに操作すると、これに連動して連結支持杆１６、１６が前脚２ｂ、２ｂに沿って下降移動する緊締具１８を介して下動するので、所望の位置で緊締具１８を緊締すればよい。
【００１８】
更に図示しないが、カメラ８および望遠レンズ３を前面視において、三脚２の右側にセットさせたいときは、緊締具１８を弛緩した後、雲台２ａを右側に回動操作させると、これに連動して左側の連結支持杆１６が左側の前脚３ｂに沿って上昇移動する緊締具１８を介して上動し、右側の連結支持杆１６が右側の前脚２ｂに沿って下降移動する緊締具１８を介して下動するので、所望の位置で緊締具１８を緊締すればよい。
【００１９】
上記のように、雲台２ａの動きに追従して変姿するカメラ８および望遠レンズ３の取付姿勢に対応して、該カメラ８および望遠レンズ３をそれぞれ別個に固定した基盤１と三脚２とは連結支持杆１６および緊締具１８を介して一体的に固定されると共に、開脚した三脚２も安定状態に保持できるので撮影するにあたってレリーズを使用してシャッターを切った際、超望遠撮影に経験がない者でも、また経験が浅く不馴れな者でも、全くブレのない綺麗な画像を得ることができ、超望遠撮影の醍醐味を充分に満足することができる。
【００２０】
【発明の効果】
以上の説明によって明らかなように、本発明によれば、三脚の雲台に装着される基盤に、カメラの固定支持台が前後方向揺動かつ傾斜角度調節固定自在な支持腕に回動かつ傾斜角度調節固定自在に設けられ、望遠レンズの載置固定台も前後方向位置調節固定自在に設けられ、かつ望遠レンズの筒状部の支承受座も前後方向揺動かつ傾斜角度調節固定自在な支持腕に回動かつ傾斜角度調節固定自在に設けられていると共に、上記基盤と三脚も連結支持杆および緊締具を介して一体的に連結固定してなるものであるから、雲台の動きに追従してカメラの取付姿勢が変姿しても、撮影時には全くブレのない綺麗な画像を得ることができる。
【００２１】
そのうえ、カメラや望遠レンズの基盤への固定は、形状や大きさに制限されることなく容易にできるばかりでなく、構成部材もアルミ素材で形成されているので、品位、質感に優れ、カメラや望遠レンズと調和しして違和感がなく、軽快な気分で撮影ができ、しかも連結支持杆は基盤の裏側に折り畳み自在となるので、コンパクトに収納することができ、携帯に便利である等の効果を奏する。
【図面の簡単な説明】
【図１】本発明に係るカメラブレ防止装置を三脚に装備した状態を示す全体斜視図である。
【図２】接合したカメラと望遠レンズを三脚に水平に固定した状態を示す要部斜視図である。
【図３】同上上向きに固定した状態を示す要部斜視図である。
【図４】同上下向きに固定した状態を示す要部斜視図である。
【符号の説明】
１　　　基盤
１ａ　　長溝
１ｃ　　装着孔
２　　　三脚
２ａ　　雲台
２ｂ　　前脚
３　　　超望遠レンズ
３ａ　　取付座
３ｂ　　筒状部
４　　　載置固定台
４ａ　　連結孔
５　　　連結杆
７　　　支持脚
８　　　カメラ
９　　　固定支持台
９ａ　　連結孔
１０　　連結杆
１２　　支持腕
１３　　Ｖ字状支承受座
１４　　吊持体
１４ａ　切欠部
１６　　連結支持杆
１７　　支承体
１７ａ　切欠部
１８　　緊締具
１８ａ　固定分割筒片
１８ｂ　可動分割筒片
１９　　取付ボス
２０　　撮具
【図１】
2004053672.tif 000003
【図２】
2004053672.tif 000004
【図３】
2004053672.tif 000005
【図４】
2004053672.tif 000006